(57)【要約】【課題】簡便なドーム状施設を提供する。【解決手段】本考案に係るドーム状施設は、ドーム形状を有するドーム状施設であって、前記ドーム形状の頂部中央に位置する環状部材２と、環状部材２に上端が固定され、環状部材２からドーム形状に沿って放射状に外方及び下方へ延び、該ドーム形状の基部に至る複数の縦方向部材３と、各縦方向部材３に対し、異なる高さにおいて交差するように固定された複数の環状横方向部材４とを備える。 【選択図】図１
0003173983.tif 000002
【実用新案登録請求の範囲】
【請求項１】
ドーム形状を有するドーム状施設であって、
前記ドーム形状の頂部中央に位置する環状部材（２）と、
前記環状部材に上端が固定され、該環状部材から前記ドーム形状に沿って放射状に外方及び下方へ延び、該ドーム形状の基部に至る複数の縦方向部材（３）と、
各縦方向部材に対し、異なる高さにおいて交差するように固定された複数の環状横方向部材（４）とを備えることを特徴とするドーム状施設。
【請求項２】
前記環状部材、縦方向部材及び環状横方向部材の間に形成された四角形状の区画を覆う網状又は布状の部材（７）を備えることを特徴とする請求項１に記載のドーム状施設。
【請求項３】
前記環状部材には、該環状部材の中心から上方へ延びた支柱（３９）と、該支柱を下端において支持する支持部材（３８）が設けられ、前記支柱の頂部から該環状部材にかけて網状又は布状の部材（４１）が設けられていることを特徴とする請求項１又は２に記載のドーム状施設。
【請求項４】
前記縦方向部材又は環状横方向部材は、パイプ状の部材であり、該部材の内部が、電気配線用の通路として用いられることを特徴とする請求項１〜３のいずれか１項に記載のドーム状施設。
【請求項５】
隣接するいずれか２本の前記縦方向部材の間において前記環状横方向部材の一部を省略することにより出入口（６）が設けられていることを特徴とする請求項１〜４のいずれか１項に記載のドーム状施設。
【請求項６】
ボールト形状を有する通路（２９）が連結され、
前記通路は、
該通路の方向に沿って所定の間隔で配置され、前記ボールト形状に沿ってアーチ状に延在する複数の横断方向アーチ状部材（３１）と、
前記ドーム形状とボールト形状とが交差するラインに沿った端部アーチ状部材（３２）と、
各横断方向アーチ状部材に対し、異なる高さにおいて交差するように固定され、一端が前記端部アーチ状部材に固定された複数の直線状部材（３３）と、
前記横断方向アーチ状部材、端部アーチ状部材及び直線状部材の間に形成された区画を覆う網状又は布状の部材（７）とを備え、
前記環状横方向部材及び縦方向部材における前記端部アーチ状部材の内側に位置する部分が省略されており、該省略により生じた該環状横方向部材及び縦方向部材の端部が、該端部アーチ状部材に固定されていることを特徴とする請求項１〜５のいずれか１項に記載のドーム状施設。
【請求項７】
前記環状横方向部材のうちの１本に、三角屋根（５１）の上端部の後ろ側が取り付けられ、該１本の環状横方向部材の下方に隣接する他の環状横方向部材により下部が支持された出窓（５２）を備え、
該出窓は、前記ドーム状施設の外側に雪を付着させ、かまくら状の施設とした場合に、雪面から突出した部分が三角錐状の出窓の形態を有することを特徴とする請求項１〜６のいずれか１項に記載のドーム状施設。
【請求項８】
前記環状横方向部材は、前記縦方向部材の外側に位置していることを特徴とする請求項１〜７のいずれか１項に記載のドーム状施設。
【考案の詳細な説明】
【技術分野】
【０００１】
本考案は、ドーム形状を有するドーム状施設に関する。
【背景技術】
【０００２】
従来、このようなドーム状施設として、例えば特許文献１には、壁及び天井の骨格を、パイプ材を用いて構成したアイスドームが記載されている。このアイスドームは、パイプ材を用いて構成した骨格の上に布地を張り渡して固定し、この布地に水を浸透させ、そしてこの水を外気温で氷結させることにより構築される。
【０００３】
また、特許文献２には、発泡スチロールを構成材とする複数のドーム片を基礎上で互いに接合して形成される組立式ドームが記載されている。各ドーム片には、それぞれ骨格形状の補強部材が組み込まれる。組立式ドームの頂部にはリング状の枠体が設けられ、枠体の外周面に、各ドーム片の上端が固定される。
【０００４】
また、特許文献３には、雪で覆ってかまくらを作成するためのＦＲＰ製のシェルタが記載されている。シェルタの頂部には、換気口が設けられ、かつ傘付の換気筒が着脱自在に設けられる。
【先行技術文献】
【特許文献】
【０００５】
【特許文献１】特開２０１０−３１４８６号公報
【特許文献２】特開２００４−２１１４４４号公報
【特許文献３】実開昭６１−２０６５１号公報
【考案の概要】
【考案が解決しようとする課題】
【０００６】
しかしながら、特許文献１のアイスドームによれば、所定の曲率と長さのパイプ材を結合して連結してゆくことによりアイスドームの骨組みを組み上げるようにしているので、骨組みを組み上げるのに手間がかかる。
【０００７】
また、特許文献２の組立式ドームによれば、各ドーム片等の構成が複雑であるため、製造コストが高い。また、特許文献３のシェルタによれば、シェルタが、分解されない一体のものであるため、搬送や保管に不便である。
【０００８】
本考案の目的は、かかる従来技術に鑑み、簡便なドーム状施設を提供することにある。
【課題を解決するための手段】
【０００９】
第１の考案に係るドーム状施設は、ドーム形状を有するドーム状施設であって、前記ドーム形状の頂部中央に位置する環状部材と、前記環状部材に上端が固定され、該環状部材から前記ドーム形状に沿って放射状に外方及び下方へ延び、該ドーム形状の基部に至る複数の縦方向部材と、各縦方向部材に対し、異なる高さにおいて交差するように固定された複数の環状横方向部材とを備える。
【００１０】
本考案によれば、まず、環状部材に各縦方向部材の頂部上端を固定してドーム形状を構成し、次に、各環状横方向部材を各縦方向部材に固定することによって、容易にドーム状施設の骨格を構成することができる。したがって、ドーム状施設の組み立てが容易となる。
【００１１】
また、頂部中央に位置する環状部材を利用して、頂部の上方に延びたコーン状の構造物やその中に配置した照明手段等を容易に設けることができる。また、環状部材、縦方向部材、及び環状横方向部材としてパイプ材等を用いることにより、十分な強度を有し、組立てや分解、保管や搬送が容易なドーム状施設を提供することができる。
【００１２】
本考案においては、前記環状部材、縦方向部材及び環状横方向部材の間に形成された四角形状の区画を覆う網状又は布状の部材を備えていてもよい。これによれば、ドーム状施設内に、外部から画定された空間を容易に形成することができる。
【００１３】
本考案においては、前記環状部材には、該環状部材の中心から上方へ延びた支柱と、該支柱を下端において支持する支持部材が設けられ、前記支柱の頂部から該環状部材にかけて網状又は布状の部材が設けられていてもよい。
【００１４】
これによれば、この網状又は布状の部材の内側に照明装置を設けることにより、ドーム状施設の内部を照明するとともに、ドーム状施設の周囲も照明したり、ドーム状施設のライトアップを行ったりすることができる。
【００１５】
また、本考案においては、前記縦方向部材又は環状横方向部材は、パイプ状の部材であり、該部材の内部が、電気配線用の通路として用いられてもよい。これによれば、照明用の配線や、通信用の配線を、ドーム状施設内に極力露出させることなく行うことができる。
【００１６】
また、本考案においては、隣接するいずれか２本の前記縦方向部材の間において前記環状横方向部材の一部を省略することにより出入口が設けられてもよい。これによれば、ドーム状施設の強度を劣化させることなく、縦方向部材を利用し、容易に出入口を設けることができる。
【００１７】
また、本考案においては、ボールト形状を有する通路が連結され、前記通路は、該通路の方向に沿って所定の間隔で配置され、前記ボールト形状に沿ってアーチ状に延在する複数の横断方向アーチ状部材と、前記ドーム形状とボールト形状とが交差するラインに沿った端部アーチ状部材と、各横断方向アーチ状部材に対し、異なる高さにおいて交差するように固定され、一端が前記端部アーチ状部材に固定された複数の直線状部材と、前記横断方向アーチ状部材、端部アーチ状部材及び直線状部材の間に形成された区画を覆う網状又は布状の部材とを備え、前記環状横方向部材及び縦方向部材における前記端部アーチ状部材の内側に位置する部分が省略されており、該省略により生じた該環状横方向部材及び縦方向部材の端部が、該端部アーチ状部材に固定されていてもよい。
【００１８】
これによれば、通路を介して複数のドーム状施設を支障なく連結し、複合的なドーム状施設を容易に構築することができる。
【００１９】
また、本考案においては、前記環状横方向部材のうちの１本に、三角屋根の上端部の後ろ側が取り付けられ、該１本の環状横方向部材の下方に隣接する他の環状横方向部材により下部が支持された出窓を備え、該出窓は、前記ドーム状施設の外側に雪を付着させ、かまくら状の施設とした場合に、雪面から突出した部分が三角錐状の出窓の形態を有してもよい。これによれば、出窓を有するかまくらを容易に作ることができる。
【００２０】
また、本考案においては、前記環状横方向部材は、前記縦方向部材の外側に位置していてもよい。これによれば、ドーム状施設の外壁に雪を付着させてかまくらを作る際に、環状横方向部材によりある程度雪を支持することができるので、かまくらの作成が容易となる。
【図面の簡単な説明】
【００２１】
【図１】図１は本考案の第１の実施形態に係るドーム状施設を示す斜視図である。
【図２】図１のドーム状施設の頂部接合部近傍の平面図及び側面図である。
【図３】図１のドーム状施設の交差部接合部近傍の正面図及び側面図である。
【図４】図１のドーム状施設の基部接合部近傍の正面図及び側面図である。
【図５】本考案の第２の実施形態に係るドーム状施設を示す斜視図である。
【図６】図５のドーム状施設に連結している連結ボールトの横断面図である。
【図７】図５のドーム状施設に連結ボールトが連結している部分の一部の斜視図である。
【図８】図５のドーム状施設の円錐部を示す斜視図及びその一部の断面図である。
【図９】本考案の第３の実施形態に係るドーム状施設の平面断面図である。
【図１０】本考案の第４の実施形態に係るドーム状施設の斜視図である。
【図１１】図１０のドーム状施設の一部の断面図である。
【考案を実施するための形態】
【００２２】
以下、図面を用いて本考案の実施形態を説明する。図１に示すように、第１実施形態に係るドーム状施設１はドーム形状を有する。ドーム状施設１は、頂部中央に設けられた環状部材２と、環状部材２に上端が固定され、環状部材２から該ドーム形状に沿って放射状に外方及び下方へ延び、該ドーム形状の基部に至る複数の縦方向部材３と、各縦方向部材３に対し、異なる高さにおいて交差するように固定された複数の環状横方向部材４とを備える。各縦方向部材３の下端には、ベースプレート５が設けられる。
【００２３】
本実施形態では、縦方向部材３を８本用い、環状横方向部材４を５本用いているが、これらの数は、必要とされるドーム状施設１の強度や大きさに応じて適宜変更可能である。環状部材２としては、例えば直径が６０ｍｍのスチール製丸パイプが用いられる。縦方向部材３及び環状横方向部材４としては、例えば、直径が５０ｍｍのスチール製丸パイプが用いられる。
【００２４】
各縦方向部材３のうちの隣接する２本の間において、下側の４本の環状横方向部材４が省略されており、この部分が、ドーム状施設１の出入口６となっている。
【００２５】
環状部材２、縦方向部材３及び環状横方向部材４の間に形成される四角形状の区画は、出入口６を除き、網状又は布状の部材としてのネット又はテント地７によって覆われる。各区画毎や複数の区画毎に別個のネット又はテント地７で覆うようにしてもよいし、全区画を１枚のネット又はテント地７で外側又は内側から覆うようにしてもよい。
【００２６】
環状部材２により形成される区画は、必要に応じてネット又はテント地７で覆うようにしてもよい。ネット又はテント地７の取付けは、例えばネット又はテント地７に固定された紐で、環状部材２、縦方向部材３又は環状横方向部材４に縛り付けることにより行うことができる。
【００２７】
ネット又はテント地７として、例えば、夏にテント地を用い、積雪のある冬にはステンレス製のネット又はナイロン製の魚網などのネットを用いることができる。また、ステンレス製のネットを用いる場合には、ドーム状施設１の外面を雪で覆い、ドーム状施設１をかまくら状の施設として用いてもよい。その場合、環状横方向部材４は、縦方向部材３の外側に位置しており、環状横方向部材４によりある程度雪を支持することができるので、かまくらの作成は容易である。
【００２８】
環状部材２への各縦方向部材３の固定は、これらの間に設けられた頂部接合部８を介して行われる。縦方向部材３に対する環状横方向部材４の固定は、これらが交差する交差部接合部９において行われる。縦方向部材３に対するベースプレート５の取付けは、これらの間に設けられた基部接合部１０を介して行われる。
【００２９】
図２（ａ）は、頂部接合部８の近傍部分の平面図であり、図２（ｂ）は、その側面図である。ただし、図２（ｂ）において、環状部材２は、一部が断面で示されている。図２に示すように、頂部接合部８は、縦方向部材３に固定されたソケット１１と、ソケット１１に固定された接合部材１２と、環状部材２に固定され、接合部材１２に接合される接合部材１３とを備える。
【００３０】
ソケット１１は、一方の端部が閉じられて端面１１ａを構成し、他方の端部が開放された円筒状の形態を有する。接合部材１２は、端面１１ａから突出するように設けられる。
【００３１】
縦方向部材３に対するソケット１１の固定は、縦方向部材３の上端を、ソケット１１に開放端側から挿入して嵌合させ、ソケット１１及び縦方向部材３を貫通する孔に挿入されたボルト１４にナット１５を締結させることにより行われる。接合部材１２と接合部材１３との接合は、それぞれの孔に通されたボルト１６にナット１７を締結させることにより行われる。なお、この孔は、縦方向部材３の長さ方向に沿って延びたものとされ、接合部材１２と接合部材１３との接合位置について、この方向に余裕を設けている。
【００３２】
図３（ａ）は、交差部接合部９の近傍部分の正面図であり、図３（ｂ）は、その側面図である。ただし、図３（ｂ）において、環状横方向部材４は断面で示されている。図３に示すように、交差部接合部９においては、Ｕ字締結具１８と、Ｕ字締結具１８の両端部に螺合するナット１９とを用いて、縦方向部材３に環状横方向部材４が固定される。
【００３３】
この固定は、縦方向部材３に対して環状横方向部材４を重ね、Ｕ字締結具１８の内側に環状横方向部材４を位置させて、Ｕ字締結具１８の両端部を縦方向部材３に設けられた２つの貫通孔にそれぞれ通し、該両端部にそれぞれナット１９を締結させることにより行われる。
【００３４】
図４（ａ）は、基部接合部１０の近傍部分の正面図であり、図４（ｂ）はその側面図である。図４に示すように、基部接合部１０は、ベースプレート５に固定された全ネジボルト２０と、全ネジボルト２０に螺合するナット２１が固定されたベース側フランジ部２２と、全ネジボルト２０に螺合し、座金２３を介してナット２１を固定するナット２４と、縦方向部材３の下端に固定されたパイプ側フランジ部２５と、ベース側フランジ部２２をパイプ側フランジ部２５に固定するための２組のボルト２６及びナット２７とを備える。
【００３５】
ベース側フランジ部２２及びパイプ側フランジ部２５の中央部には、全ネジボルト２０の先端部を受け入れる貫通孔が設けられる。
【００３６】
縦方向部材３にベースプレート５を取り付ける際には、まず、ベースプレート５の全ネジボルト２０にナット２４及びベース側フランジ部２２のナット２１を螺合させ、ナット２４により座金２３を介して下方からナット２１を固定する。これにより、ベース側フランジ部２２が、ベースプレート５上に取り付けられる。
【００３７】
次に、このベース側フランジ部２２及びベースプレート５を、縦方向部材３のパイプ側フランジ部２５の下に配置する。そして、ボルト２６を、ベース側フランジ部２２及びパイプ側フランジ部２５に設けられた穴に通し、ボルト２６にナット２７を締結する。これにより、ベース側フランジ部２２がパイプ側フランジ部２５に固定され、ベースプレート５の取付けが完了する。
【００３８】
このベースプレート５の取付けに際しては、ナット２１の螺合量を調整して、パイプ側フランジ部２５とベースプレート５との間隔を調整することにより、ドーム状施設１の水平出しを行うことができる。
【００３９】
ドーム状施設１の組立ては、例えば、次のような手順で行うことができる。すなわち、まず、予めベースプレート５が取り付けられた各縦方向部材３を、環状部材２に対し、頂部接合部８を介して接合する。この接合は、環状部材２を地面に置いた状態で行うことができる。
【００４０】
次に、環状部材２を持ち上げて、各縦方向部材３によりドーム形状を形成する。このとき、頂部接合部８のボルト１６（図２参照）を中心として各縦方向部材３が回動するので、容易にドーム形状が形成される。次に、各縦方向部材３に対し、その外側から順次各環状横方向部材４を配置し、Ｕ字締結具１８で固定する。この固定は、各交差部接合部９において、図３のようにして行われる。
【００４１】
次に、各ボルト１６に対するナット１７の増し締めや、ベースプレート５の位置の調整等を行う。そして、ネット又はテント地７を、環状部材２、縦方向部材３及び環状横方向部材４の間に形成された区画を覆うように取り付ける。これにより、ドーム状施設１の組立てが完了する。
【００４２】
以上のように、本実施形態によれば、ドーム状施設１を、環状部材２、複数の縦方向部材３、及び複数の環状横方向部材４を用いて構成するようにしたので、環状部材２に各縦方向部材３の上端を固定してドーム形状を構成し、そして各環状横方向部材４を各縦方向部材３に固定することにより、容易にドーム状施設の骨格を組み立てることができる。
【００４３】
また、隣接するいずれか２本の縦方向部材３の間において環状横方向部材４の一部を省略することにより出入口６を設けるようにしたので、ドーム状施設１の強度を劣化させることなく、縦方向部材３を利用しながら、容易に出入口６を設けることができる。また、頂部中央に位置する環状部材２を備えているので、これを利用し、頂部の上方に延びたコーン状の構造物やその中に配置した照明手段等を容易に設けることができる。
【００４４】
また、環状部材２、縦方向部材３、及び環状横方向部材４として丸パイプを用いているので、十分な強度を有しながら、搬送や保管が容易なドーム状施設１を提供することができる。また、丸パイプの内部を、電気配線用の通路として用いることにより、照明用の配線や、通信用の配線を、ドーム状施設１内に極力露出させることなく行うことができる。なお、丸パイプ内を通した配線は、丸パイプの側面や、ソケット１１の端面１１ａ（図２参照）等に適当な大きさの孔を設け、この孔を介して行うことができる。
【００４５】
図５は、本考案の第２実施形態に係るドーム状施設を示す斜視図である。このドーム状施設２８の側面には、出入口の代わりにボールト形状を有する連結ボールト２９の一端が連結されており、頂部には円錐部３０が設けられる。他の点については、ドーム状施設２８は、ドーム状施設１の場合と同様の構成を備える。
【００４６】
連結ボールト２９の他端は、ドーム状施設２８への出入口となっている。すなわち、連結ボールト２９はドーム状施設２８への通路として機能する。なお、連結ボールト２９の他端を他のドーム状施設２８に同様に連結することにより、連結ボールト２９を、ドーム状施設２８間の連絡用通路として利用してもよい。
【００４７】
連結ボールト２９は、長さ方向に沿って所定の間隔で配置され、かつ連結ボールト２９の形状に沿ってアーチ状に延在する複数の横断方向アーチ状部材３１と、ドーム状施設２８のドーム形状と連結ボールト２９のボールト形状とが交差するラインに沿った端部アーチ状部材３２と、各横断方向アーチ状部材３１に対し、異なる高さにおいて交差するように固定され、一端が端部アーチ状部材３２に固定された直線状部材３３とを備える。これらの部材は、縦方向部材３や環状横方向部材４と同様のパイプ状の部材で構成される。
【００４８】
横断方向アーチ状部材３１、端部アーチ状部材３２及び直線状部材３３の間に形成された四角形状の区画は、ネット又はテント地７により覆われる。環状横方向部材４及び縦方向部材３における端部アーチ状部材３２の内側に位置する部分が省略されており、該省略により生じた環状横方向部材４及び縦方向部材３の端部が、端部アーチ状部材３２に固定されている。これにより、連結ボールト２９の一端が、ドーム状施設２８に連結されている。
【００４９】
図６は、連結ボールト２９の横断面図である。図６に示すように、横断方向アーチ状部材３１及び直線状部材３３相互間の固定は、相互の交差部を単管クランプ３５で接合することにより行われる。各横断方向アーチ状部材３１の両側の端部には、縦方向部材３の下端に接合されているのと同様のベースプレート５が同様にして接合される。なお、端部アーチ状部材３２についても、同様にベースプレート５が接合される。
【００５０】
また、各横断方向アーチ状部材３１の両側端部のベースプレート５には、平板状の長い部材であるフラットバー３６の両端が固定される。これにより、連結ボールト２９の下部の歪みが防止される。
【００５１】
図７は、連結ボールト２９がドーム状施設２８に連結している部分の一部を示す斜視図である。図７に示すように、端部アーチ状部材３２は、環状横方向部材４の端部に対し、図３の場合と同様にＵ字締結具１８により接合される。直線状部材３３は、環状横方向部材４の端部に対し、足場用の単管クランプ３７により接合される。
【００５２】
図８（ａ）は、ドーム状施設２８頂部の円錐部３０を示す斜視図であり、図８（ｂ）はその一部の断面図である。図８に示すように、円錐部３０は、環状部材２の内側に固定され、支持部材として機能する２本のフラットバー３８と、フラットバー３８により支持され、上方に延びた支柱３９と、支柱３９の上端に固定されたキャップ部材４０と、キャップ部材４０から環状部材２にかけて円錐の側面を構成するように張られたテント地４１とを備える。テント地４１は二点鎖線で示している。
【００５３】
２本のフラットバー３８は、環状部材２の中央で交差するように、環状部材２に固定される。各フラットバー３８の交差部上面には、バー側プレート４２が、その下部に固定されたボルト４２ａにより固定される。支柱３９の下端にはポール側プレート４３が固定される。バー側プレート４２及びポール側プレート４３は、それらの穴に通されたボルト４４と、これに締結されたナット４５により相互に固定される。
【００５４】
この円錐部３０の内側に照明装置を設けることにより、ドーム状施設２８の内部を照明したり、円錐部３０を浮き上がるように視認させたりすることができる。また、テント地４１が光を良好に通す材質である場合には、ドーム状施設２８の周囲を照明したり、ドーム状施設のライトアップを行ったりすることもできる。この場合、照明装置に対する配線は、縦方向部材３の内部を通して行うことができる。
【００５５】
図９は、本考案の第３実施形態に係るドーム状施設の平面断面図である。図９に示すように、このドーム状施設は、図５のドーム状施設２８と同様の３つのドーム状施設４６を備える。中央のドーム状施設４６は、その両側のドーム状施設４６と、それぞれ図５の連結ボールト２９と同様の連結ボールト４７により連結される。
【００５６】
また、各ドーム状施設４６には、図５の連結ボールト２９と同様の短い連結ボールト４８の一端が連結される。中央のドーム状施設４６の連結ボールト４８の他端は、ドア４９が設けられた出入口となっている。両側のドーム状施設４６の連結ボールト４８の他端は、ドア４９のない出入口となっている。
【００５７】
各ドーム状施設４６、連結ボールト４７及び連結ボールト４８の外面には雪Ｓが付着されており、施設全体としては、３つのかまくらが相互に連結されたような形態とされる。両側のドーム状施設４６については、図８中の円錐部３０の代わりに、雪Ｓを固めた後、光の通る部分円状の部材で環状部材２の上を覆うようにしてもよい。また、各ドーム状施設４６の雪Ｓにガラス瓶等を埋め込んで、各ドーム状施設４６の内部の光が外部に漏れるようにして、視覚的効果を向上させるようにしてもよい。
【００５８】
図１０は、本考案の第４実施形態に係るドーム状施設の斜視図である。図９に示すように、このドーム状施設５０は、図１のドーム状施設１に、図８中の円錐部３０と、三角屋根５１を備えた出窓５２とを設け、雪Ｓを付着させて、かまくら状の施設としたものに相当する。
【００５９】
ただし、雪Ｓを付着させるので、ネット又はテント地７として、ステンレス製のネットが使用される。付着させた雪Ｓには、ガラス瓶５３等が埋め込まれ、内部の光が漏れ出るようになされる。
【００６０】
図１１は、ドーム状施設５０の一部の断面図である。図１１に示すように、出窓５２は、環状横方向部材４のうちの１本に、三角屋根５１の上端部の後ろ側がフック５４により取り付けられ、その１本の環状横方向部材４の下方に隣接する他の環状横方向部材４により下部が支持される。出窓５２は、中心軸が水平方向に沿った三角柱形状を有する。
【００６１】
該三角柱形状の一端面側が、ドーム状施設５０の外側に突出し、他端面側が、ドーム状施設５０の対応する外面に沿った形状を有する。三角柱形状の２つの側面が、三角屋根５１を構成する。該三角柱形状の一端面は、三角屋根５１の軒の外側端部よりも頂部の外側端部の方が外側に張り出すように傾斜している。
【００６２】
該一端面と他方の端面との間には、ポリカーボネート製の窓ガラス５５が設けられる。ドーム状施設５０の該他方の端面に対応する部分では、上述のステンレス製ネットが省略される。したがって、窓ガラス５５を介して外光がドーム状施設５０内に導入される。
【００６３】
ドーム状施設５０の外面に雪Ｓを付着させたとき、出窓５２の基端側が雪Ｓの中に埋まり、出窓５２の先端側が雪面から突出する。これにより、外部から出窓５２を見たとき、図１０のように、出窓５２は、三角錐状に突出した形態を有するように見える。
【００６４】
本実施形態によれば、環状横方向部材４のうちの１本に、三角屋根５１の上部後端を取り付け、その１本の環状横方向部材４の下方に隣接する他の環状横方向部材４により出窓５２の下部を支持し、さらに、ドーム状施設５０をかまくら状の施設とした場合に、雪面から突出した出窓５２の部分が三角錐状の形態を有する。したがって、三角錐状の出窓５２を有するかまくら状の施設を容易に作ることができる。
【００６５】
以上説明したように、図１のドーム状施設１や図５のドーム状施設２８は、ネット又はテント地７としてネットを使用し、雪Ｓで覆うことにより、図９のドーム状施設４６や図１０のドーム状施設５０のように、かまくら状の施設として利用することができる。
【００６６】
その際に、図９のように、連結ボールト４７を組み合わせることにより、複数のドーム状施設４６を連結した比較的大きな施設を容易に構成できる。これにより、多様な使用方法が可能となる。また、雪Ｓの下に、縦方向部材３や環状横方向部材４で支持されたネットが存在し、雪Ｓのみで構成されている場合よりも安全性が高いので、施設内で火などの使用も可能である。
【００６７】
したがって、各ドーム状施設４６を、例えばかまくら状の個室や談話室、いろり喫茶などとして使用できる。その際に、これらを連結する廊下として、連結ボールト４７を使用することができる。
【００６８】
一方、ネット又はテント地７としてテント地を用いる場合には、図１のドーム状施設１や図５のドーム状施設２８を、次のような仮施設として利用することができる。例えば、ドーム状施設１や２８の頂部に排煙可能なスリットを設け、これらの施設内でバーベキューなどを行うために利用することができる。
【００６９】
また、出入口６にドアを設けたり、縦方向部材３及び環状横方向部材４により形成される四角形状の区画に窓を設けたりすることによって、簡易宿泊が可能な施設として利用することができる。
【００７０】
この場合、図１や図５のドーム状施設１や２８を、図５中の連結ボールト２９による廊下で連結した複数の個室として、災害時等に利用することができる。例えば、各個室を、宿泊室や、入浴施設、ケア施設等に利用することができる。
【００７１】
また、イベント用の仮設テントや、麻雀ルーム等の娯楽用ルームとして用いることもできる。
【００７２】
他方、図１のドーム状施設１や図５のドーム状施設２８は、ネット又はテント地７を省略して利用することもできる。例えば、ジャングルジムのような遊具施設や、蔓植物を絡ませたグリーンドーム、夜間のイルミネーション等を設けた照明フレームとして利用することもできる。
【符号の説明】
【００７３】
１…ドーム状施設、２…環状部材、３…縦方向部材、４…環状横方向部材、６…出入口、７…ネット又はテント地（網状又は布状の部材）、２９連結ボールト（通路）、３１…横断方向アーチ状部材、３２…端部アーチ状部材、３３…直線状部材、３８…フラットバー（支持部材）、３９…支柱、４１…テント地（網状又は布状の部材）、５１…三角屋根。
【図１】
0003173983.tif 000003
【図２】
0003173983.tif 000004
【図３】
0003173983.tif 000005
【図４】
0003173983.tif 000006
【図５】
0003173983.tif 000007
【図６】
0003173983.tif 000008
【図７】
0003173983.tif 000009
【図８】
0003173983.tif 000010
【図９】
0003173983.tif 000011
【図１０】
0003173983.tif 000012
【図１１】
0003173983.tif 000013